(57)【要約】      （修正有）【課題】粘着テープを粘着部分と非粘着部分を接着させループを形成することで簡易両面テープとして使用する方法において粘着部分に指紋が付きづらく容易にループを作成でき、従来の使用方法も可能なテープカッターを提供する。【解決手段】従来のテープカッター台とループ作成機構６、これを取り付けるための軸からテープカッター１を構成する。ループ作成機構にはテープを巻きつける巻き取り軸７とテープを巻きやすくするための抑え軸８と固定軸９を備える。巻き取り軸と抑え軸の間にテープを通し固定軸を移動することでテープを挟みループ作成機構を回転させ、テープ先端の接着部分を非粘着部分に接着ることでループを作成する。その後、ループ作成機構を刃５の手前に倒し、テープを切断する。【選択図】図１
2019156639.tif 000002
【特許請求の範囲】
【請求項１】
ループ作成機構を有するテープカッターであって、  前記ループ作成機構は、円盤の片面に該円盤と等しい長軸の楕円柱の中央を切り取った形の軸がついた巻き取り軸と、円柱と板でできたＬ字型の固定軸と、非粘着性の優れたシリコンなどでできた中空円柱の抑え軸とで構成され、  前記巻き取り軸には連結棒と連結できるように貫通穴を備え、  前記固定軸の板の先端部には前記連結棒に取り付けるための貫通穴を備え、  前記円柱側に前記抑え軸と同じ長さの凹みと抜け防止ストッパーを備え、該ストッパーは前記抑え軸を前記固定軸に取り付け回転できるようにされていることを特徴とするテープカッター。
【請求項２】
粘着テープをリールもしくは容器内に保持し、該粘着テープを引き出して仮止めするための刃を備え、該刃の支持体下部に前記連結棒が取り付け可能な非貫通穴を備え、該貫通穴の直径は入り口よりも内部が大きくなるようにされていて、前記貫通穴の内部の直径は前記抜け防止ストッパーと等しい長さとされていて、前記貫通穴の外部の直径は前記連結棒と等しい長さとされていることを特徴とする請求項１に記載のテープカッター。
【請求項３】
前記連結棒はコの字型をしていて、一方の軸が他方の軸より短く、短い軸を前記ループ作成機構の貫通穴に、長い軸を前記テープカッター本体の穴に取り付けるようにされていて、前記抑え軸が取り付けられるように軸に凹みがついており、両端に前記抜け防止ストッパーを備えることを特徴とする請求項１または２に記載のテープカッター。
【発明の詳細な説明】
【技術分野】
【０００１】  本発明はセロハンテープなど片面に接着面を有する粘着テープのテープカッターに関するものである。
【背景技術】
【０００２】  粘着テープの一つであるセロハンテープはポスターを貼り付けたり封をしたりと様々な用途に使われる。しかし、セロハンテープは素手では切ることが難しいため刃物が必要となる。そのため、セロハンテープはテープカッターとセットで使用させることが多い。テープカッターは基本的に粘着テープを保持するリールとテープを切断する刃で構成されるが、テープが切れやすい刃や卓上に置いたまま使う際に移動しづらいものなど改良されたものが多く開発されている。又、自動のテープカッターも販売されている。
【先行技術文献】
【特許文献】
【０００３】
【特許文献１】特開２０１２−２０１５０９
【特許文献２】特開２０１５−１６０７４６
【特許文献３】特開２０１１−１３２００４
【発明の概要】
【発明が解決しようとする課題】
【０００４】  上記のテープカッターは２本の回転軸固定部材を用いて簡易両面テープを作成することができる。しかし、テープを引き出す際は手で触れなければならずテープとテープの接着面には汚れが付着してしまう。そこで、引き出す際も指紋をつけることなく簡易両面テープを作成することのできるテープカッターを提供する。
【課題を解決するための手段】
【０００５】  本発明は従来のテープカッター台に非貫通穴の開いたものとループ作成機構、これを取り付けるための連結軸からテープカッターを構成する。ループ作成機構にはテープを巻きつける巻き取り軸とテープを巻きやすくするための抑え軸、これらをつなぐための固定軸を備える。巻き取り軸は円盤とその直径と等しい長軸の楕円柱を合わせ楕円柱の短軸上を切り取った形をしており中心に貫通穴を備えている、抑え軸は非粘着性の優れたシリコンなどでできた中空円柱である。また、固定軸は一方が板で他方が円柱のＬ時型をしており、板の先端付近には貫通穴があり円柱には固定軸を取り付けるための凹みを備える。巻き取り軸の穴には連結軸を取り付けるが連結軸に凹みがありそこに固定軸の穴を通して取り付ける。また、抑え軸は固定軸の円柱側に取り付ける。テープカッター台には刃の下部に非貫通穴が開いており内部でその直径が大きくなっている。連結軸はコの字型をしているが一方が他方より短くなっている。また、両端に抜け防止のストッパーを備え、ループ作成機構に取り付ける短い方の円柱には凹みがある。【０００６】  本発明は従来の使い方をする場合は図３（１）のように刃の手前に倒しておく。ループの作成方法はループ作成機構と連結軸はテープカッター台と垂直方向に移動できるため、図３（２）のように巻き取り軸と抑え軸の間にテープを通し、固定軸を回転することでテープを挟む。その後、図３（３）のようにループ作成機構を回転させ、図３（４）のようにテープ先端の接着部分を非粘着部分に接着することでループを作成する。この時、固定軸の位置によって図４（１）（２）のようにテープ先端の角度を変更できるため非粘着部分に接着させるのが容易になる。その後、ループ作成機構を刃の手前に倒し、テープを切断する。図３（５）はループが作成できたときの図面である。また、ループ作成機構からテープを取るときは巻き取り軸の溝に指を入れ、図３（５）の矢印方向にループの内側から押すことで固定軸に接着していても簡単に取ることができる。
【発明の効果】
【０００７】本発明はループ作成機構を持ち、移動させたり固定軸を回転させたりすることでループができ刃の手前に倒すことで簡易両面テープができるため片手でも作成することができる。【０００８】巻き取り軸の楕円中の短軸上を切り取ることでループ作成後、粘着部分に触れることなく簡易両面テープを固定軸から剥がし持つことができる。
【図面の簡単な説明】
【０００９】
【図１】本発明の実施例の斜視図である。
【図２】本発明の実施例を上から見た図である。
【図３】本発明の実施例のループ作成手順の連続図である。
【図４】本発明の実施例のループ作成途中の拡大図である。
【符号の説明】
【００１０】１    テープカッター３    リール４    粘着テープ５    刃６    ループ作成機構７    巻き取り軸８    抑え軸９    固定軸１０  連結軸１１  ストッパー
【図１】
2019156639.tif 000003
【図２】
2019156639.tif 000004
【図３】
2019156639.tif 000005
【図３−１】
2019156639.tif 000006
【図４】
2019156639.tif 000007
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
ループ作成機構を有するテープカッターであって、
前記ループ作成機構は、円盤の片面に該円盤と等しい長軸の楕円柱の中央を切り取った形の軸がついた巻き取り軸と、円柱と板でできたＬ字型の固定軸と、非粘着性の優れたシリコンでできた中空円柱の抑え軸とで構成され、
前記巻き取り軸には連結棒と連結できるように貫通穴を備え、
前記固定軸の板の中間には前記連結棒に取り付けるための貫通穴を備え、
前記連結棒に抜け防止ストッパーを備え、
前記固定軸の円柱側に前記抑え軸を取り付けるための抑え軸と同じ長さと厚みの凹みを備え、前記抑え軸が前記固定軸の円柱を中心に回転できるようにされていることを特徴とするテープカッター。
【請求項２】
粘着テープをリールもしくは容器内に保持し、該粘着テープを引き出して仮止めするための刃を備え、該刃の支持体下部に前記連結棒が取り付け可能な貫通穴を備え、該貫通穴の直径は入り口よりも内部が大きくなるようにされていて、前記貫通穴の内部の直径は前記抜け防止ストッパーと等しい長さとされていて、前記貫通穴の入り口の直径は前記連結棒と等しい長さとされていることを特徴とする請求項１に記載のテープカッター。
【請求項３】
前記連結棒はコの字型をしていて、一方の軸が他方の軸より短く、短い軸を前記ループ作成機構の貫通穴に、長い軸を前記テープカッター本体の穴に取り付けるようにされていて、前記抑え軸と前記巻き取り軸が取り付けられるように軸に凹みがついており、両端に前記抜け防止ストッパーを備えることを特徴とする請求項１または２に記載のテープカッター。
【手続補正２】
【補正対象書類名】図面
【補正対象項目名】図１
【補正方法】変更
【補正の内容】
【図１】
2019156639.tif 000008
【手続補正３】
【補正対象書類名】明細書
【補正対象項目名】０００２
【補正方法】変更
【補正の内容】
【０００２】  粘着テープの一つであるセロハンテープはポスターを貼り付けたり封をしたりと様々な用途に使われる。しかし、セロハンテープは素手では切ることが難しいため刃物が必要となる。そのため、セロハンテープはテープカッターとセットで使用させることが多い。テープカッターは基本的に粘着テープを保持するリールとテープを切断する刃で構成されるが、テープが切れやすい刃がついたものや卓上に置いたまま使う際に移動しづらいものなど改良されたものが多く開発されている。又、自動のテープカッターも販売されている。
【手続補正４】
【補正対象書類名】明細書
【補正対象項目名】０００４
【補正方法】変更
【補正の内容】
【０００４】  上記のテープカッターは２本の回転軸固定部材を用いて簡易両面テープを作成することができる。しかし、テープを引き出す際は手で触れなければならずテープとテープの接着面には汚れが付着してしまう。そこで、引き出す際も指紋をつけることなく簡易両面テープを作成することのできるテープカッターを提供する。
【手続補正５】
【補正対象書類名】明細書
【補正対象項目名】０００５
【補正方法】変更
【補正の内容】
【０００５】  本発明は従来のテープカッター台に貫通穴の開いたものとループ作成機構、これを取り付けるための連結軸からテープカッターを構成する。ループ作成機構にはテープを巻きつける巻き取り軸とテープを巻きやすくするための抑え軸、これらをつなぐための固定軸を備える。巻き取り軸は円盤とその直径と等しい長軸の楕円柱を合わせ楕円柱の短軸上を切り取った形をしており中心に貫通穴を備えている、抑え軸は非粘着性の優れたシリコンでできた中空円柱である。また、固定軸は一方が板で他方が円柱のＬ字型をしており、板の中間には貫通穴があり円柱には抑え軸を取り付けるための凹みを備える。巻き取り軸の穴には連結軸を取り付けるが連結軸に凹みがありそこに固定軸の穴を通して取り付ける。また、抑え軸は固定軸の円柱側に取り付ける。テープカッター台には刃の下部に貫通穴が開いており内部でその直径が大きくなっている。連結軸はコの字型をしているが一方が他方より短くなっている。また、両端に抜け防止のストッパーを備え、ループ作成機構に取り付ける短い方の円柱には凹みがある。
【手続補正６】
【補正対象書類名】明細書
【補正対象項目名】０００６
【補正方法】変更
【補正の内容】
【０００６】  本発明は従来の使い方をする場合は図３（１）のように刃の手前に倒しておく。ループの作成方法はループ作成機構と連結軸はテープカッター台と垂直方向に移動できるため、図３（２）のように巻き取り軸と抑え軸の間にテープを通し、固定軸を回転することでテープを挟む。その後、図３（３）のようにループ作成機構を回転させ、図３（４）のようにテープ先端の接着部分を非粘着部分に接着することでループを作成する。この時、固定軸の位置によって図４（１）（２）のようにテープ先端の角度を変更できるため非粘着部分に接着させるのが容易になる。その後、ループ作成機構を刃の手前に倒し、テープを切断する。図３（５）はループが作成できたときの図面である。また、ループ作成機構からテープを取るときは巻き取り軸の溝に指を入れ、図３（５）の矢印方向にループの内側から押すことで抑え軸に接着していても簡単に取ることができる。
【手続補正７】
【補正対象書類名】明細書
【補正対象項目名】０００８
【補正方法】変更
【補正の内容】
【０００８】  巻き取り軸の楕円柱の短軸上を切り取ることでループ作成後、粘着部分に触れることなく簡易両面テープを抑え軸から剥がし持つことができる。
【手続補正書】
【提出日】平成31年4月1日(2019.4.1)
【手続補正１】
【補正対象書類名】特許請求の範囲
【補正対象項目名】請求項１
【補正方法】変更
【補正の内容】
【請求項１】
ループ作成機構を有するテープカッターであって、
前記ループ作成機構は、円盤の片面に該円盤と等しい長軸の楕円柱の中央を切り取った形の軸がついた巻き取り軸と、円柱と板でできたＬ字型の固定軸と、非粘着性の優れたシリコンでできた中空円柱の抑え軸とで構成され、
前記巻き取り軸には連結棒と連結できるように貫通穴を備え、
前記固定軸の板の中間には前記連結棒に取り付けるための貫通穴を備え、
前記連結棒に抜け防止ストッパーを備え、
前記巻き取り軸と前記連結棒とは前記貫通穴を介し、回転可能に連結され、
前記固定軸の前記板と前記連結棒とは前記貫通穴を介し、回転可能に連結され、
前記固定軸の前記円柱と、前記巻き取り軸の前記楕円柱とが、前記固定軸の前記板に対して同じ側にあり、
前記連結棒と前記固定軸の前記円柱とが平行であり、
前記固定軸の前記円柱に前記抑え軸が取り付けられ、
前記抑え軸と前記巻き取り軸の前記楕円柱とが、粘着テープを挟むことができることを特徴とするテープカッター。
【手続補正２】
【補正対象書類名】特許請求の範囲
【補正対象項目名】請求項３
【補正方法】変更
【補正の内容】
【請求項３】
前記連結棒はコの字型をしていて、一方の軸が他方の軸より短く、短い軸を前記ループ作成機構の貫通穴に、長い軸を前記テープカッター本体の穴に取り付けるようにされていて、前記固定軸と前記巻き取り軸が取り付けられるように軸に凹みがついており、両端に前記抜け防止ストッパーを備えることを特徴とする請求項１または２に記載のテープカッター。